(57)【要約】      （修正有）【課題】煮炊具の蓋に限らずあらゆる蓋に関してその蓋の置き場に困ることや蓋の裏側に付く水滴などをたらして汚すことがある。また調理器具などに於いても同様たとえばお玉を使用する場合でも汚す例が多い。支持金具により蓋を洗ったり収納したりすることも弁えてすべて解決する。【解決手段】バネ性線材曲げ加工に仕上げたクリップ式支持金具を蓋のツマミに即簡単に取り付け取り外しができるように設け、その支持金具が器体にフックで蓋と共に立て掛けられるようにし、調理器具なども煮炊中に支持金具の上に置くことを可能にした。【選択図】  図１
2004267729.tif 000002
【特許請求の範囲】
【請求項１】
本案（図１）で示す一本のバネ線材にて支持金具全体を曲げ加工により機能構成を用いるようにしその支持金具の先端（１）（１４）間に於いて（図２）で示す、蓋の中央に取り付けられてるツマミ（２０）の下部座板（２２）とのその窪み溝（２１）とに図面矢印の方向に支持金具の先端（１）（１４）間を押し入れて挟み込ませるか又はクリップ式のように（５）と（１１）との箇所を手で握り締め先端の（２）（１３）間をひろげ（３）（１２）間に挟み込ませるように用い、始め挟み込ませるその前の状態が（２）（１３）間がバネ性の力により（図１）のように閉じ重なり合っている状態のものが押し入れる際に一旦開くようになって（２１）の窪み溝とに（３）（１２）間とがはまり込むようになりそのバネ性の力によって戻ろうとする弾力性により（３）（１２）間に挟まれ（４）の重なり合っているところでストップしツマミ（２０）との窪み溝（２１）とにはまり合って支持金具全体が支えられるようになる、又  その際（１、１４、１７、１９、）  箇所の下部が四本足の働きとなって蓋の表面にあたり支持金具全体のぐらつきを止め固定できるようにもなるその支持金具を蓋のツマミとに取り付けたまま、（図３）の器体（２４）の上部に蓋を閉じる状態にできるような構成に用いる、又その蓋の表面に付けた支持金具に於いては煮炊中の際でも（図５）の（Ａ）（Ｂ）で示す、お玉（２６）菜箸（２７）など調理用の小道具が乗せて置けるように線材曲げ加工による（７）（８）（９）の窪み箇所と（１６）の引っ掛け突き出し金具との箇所によって、お玉、菜箸、などを引っ掛けて乗せて置けるような構成に用い、更に蓋を開放させる際に於いても、その蓋（２３）が器体（２４）の縁枠の上部から（１５）（１８）の溶接止めにて設けた（１７）（１９）の段付きフックとなるその各、対向側金具との空間に差し入れ、そのフックの各段差によって引っ掛けて置くことが出来るようにすることにより（図４）の（Ａ）（Ｂ）で示すように蓋を立て掛けた状態のその蓋の高さと傾く角度の具合を調整出来るように構成を用いる、また平面板（２５）が平面である置き場であれば蓋を器体（２４）から外し蓋のみを支持金具によって（図４）（Ｃ）の状態のように（６）と（１０）との線材曲げ箇所によるその曲げ角度を支持金具自体を立てられる状態に用いれば、蓋（２３）とのツマミ（２０）に支持金具全体を取り付けた状態にしておけば蓋と共に立て掛けて置けるようにすることも可能になるものである、このように一本の支持金具によっていろいろな機能の働きが得られるような構成に用いたことを特徴とする、調理用の小道具置き付き、蓋の立て掛け支持金具。
【発明の詳細な説明】
【０００１】
【発明の属する技術分野】
本発明は鍋蓋を始めホーロー鍋、フライパン、電器鍋、ホットプレートなどその他あらゆる器体の上部に乗せるその蓋に関するものであり、従来ならば煮炊中を問わず調理台やキッチンテーブル、ガス台などに於いて、たとえば鍋蓋などを煮炊中パットまくり取った瞬間その蓋の裏側にたまり付いている水滴などをたらして汚すことがあり、又、調理用の小道具などに於いても同様で汚すことがある、従来に於いては別途お玉スタンド又はお皿の上、又は使用中である蓋の上などに直接置くなどの使用状態が多く不利な点があったが本案の支持金具一本を使用することによってすべてを解決させるものである。
【０００２】
【従来の技術】
従来に於いては蓋自体に直接立て掛け用支持金具が取り付いてるものもあるようだが、その金具の取り外しが簡単に出来ないため蓋を洗ったり又は収納したりする際その金具が邪魔になってあまり利用されてないのが現状である。
【０００３】
【発明が解決しようとする課題】
本発明は従来のような使用状態を更に有利で重宝に使用できるように一本の支持金具で蓋との取り付け取り外しも簡単にできるように用いるもので従来までの不利となる使用状態をごく簡単に本案の支持金具によりすべてを解決出来るように考えたものである、尚、更に本案の支持金具は蓋より取り外した状態で受皿を置けば支持金具自体を縦に用いても横に用いてもお玉スタンドとして役立てることも可能となるなどの利点もある。
【０００４】
【課題を解決するための手段】
本案に於いては蓋のツマミと支持金具との取り外し、取り付けが即簡単に出来るようにバネ性の線材曲げ加工にて機能構成を用いるものであり、その支持金具の先端を取って（ツマミ）とに差し挟むだけで蓋とに固定し取り付けが出来るように構成したものであるが、本案のこの蓋との取り付け方法に於いてはこの方法以外に於いても蓋の表面が滑らかなガラス蓋、ステンレス蓋、アルミ蓋、など吸盤が吸着可能となるものであれば支持金具の先端に吸盤を取り付けるように構成してもよい、この吸盤式にすればツマミの形状が違っても関係なく蓋との取り付けが出来るものである、また蓋の大きさに合わせて吸着盤の取り付ける位置を決めることも可能となるなどの利点もある、ただし吸盤を使用する場合その吸盤が熱に強く耐久性があってしかも強力な吸着盤を支持金具の先端に取り付けるような構成にすることによってこの蓋と支持金具との取り付け方法も可能となるなどの利点もある。
【０００５】
【発明の実施の形態】
本発明についての機能と構成のその作用について説明すると先ず（図１）にて示すバネ性の線材でそれを曲げ加工に用いるものであるが、その先端（１）より（２）（３）（４）とアール状に曲げ（５）より（６）箇所を角度曲げに用い得て（７）（８）（９）箇所にアール窪みを作るようにして曲げ（１０）から（１１）とを同じく角度曲げを用い（４）を得て（１２）（１３）（１４）をアール状に曲げ更に（１６）の突き出し金具を用いた（１７）段付フックと（１９）の段付フックとなる両フックの形状金具を（１５）（１８）箇所に溶接などにて接着させたその支持金具の全体形状となるものを使用するものであるが、その支持金具の先端（１）（１４）間に蓋の中央ツマミの溝（２１）に矢印の方向に差し込み（３）（１２）間に差し入れ支持金具を固定取り付けるように用い（図３）のように蓋に付けた状態にして器体（２４）とに蓋（２３）を閉じるようにするものである、又、その際支持金具の（１、１４、１７、１８、）のフックとなるその下部が四本足の働きとなって蓋（２３）の表面にあたるようになり、支持金具全体のぐらつきを同時に支えて止める働きにもなるものである、次ぎに（図４）（Ａ）（Ｂ）で示すように段付きフックに用いてなる（１７）（１９）を器体（２４）の縁枠の上部から差し込み各段に引っ掛け止めすることによって蓋（２３）のその高さと傾き角度の具合を調整できるように構成を用いる、又（Ｃ）のように置く場所が（２５）の平面となるような場所であれば支持金具自体を蓋（２３）と共に立て掛けて置くことも可能となるものである、次ぎに（図５）の（Ａ）（Ｂ）のように支持金具の上に（７、８、９、１６、）の線材曲げ箇所に於いて（２６）お玉、又はターナーなど、又（２７）のように菜箸なども煮炊中であってもその曲げ箇所に於いての引っ掛かりによって引っ掛けて置けるように構成したものである。
【０００６】
【実施例】
上記構成説明のごとく実施状態に於いても作用説明内容と同様に機能を果たすことができるようになり煮炊中であっても調理用の小道具を支持金具の上に乗せたまま煮炊することも可能となり、蓋の開閉も即簡単にでき蓋を立て掛けて置くことができるようにもなり水滴をたらすこともなく説明通り確実に機能を果たすようになることを実施確認済みである。
【０００７】
【発明の効果】
以上の機能に於けるその効果は蓋の立て掛ける機能状態が非常に簡単で即蓋の取り外しも簡単に出来、蓋の裏に付く水滴もたらすことなく清潔に使用出来、又、調理用の小道具に於いても一番手近となる蓋の上に乗せて置けるので即、お玉などを先に取ってから蓋を開放し、器体の縁枠とに立て掛け煮炊中となるその際の味付けなどをする時に於いてのその調理用の小道具などの置き場を考える必要もなく使用することが可能となるなど非常に便利であり、又、支持金具を取り外した状態に於いてもお玉スタンドなどの代りとして利用することも可能となり支持金具自体も安価でしかも簡単にできいろいろな用途に利用できるなどのすぐれた利点と効果がある、とくに狭い台所などに於いてはその効果は大きい。
【図面の簡単な説明】
【図１】本案の支持金具となる一本のバネ性の線材曲げ加工に用いた全体の斜視図。
【図２】蓋中央の取って（２０）となる（ツマミ）の窪み溝（２１）とのところに支持金具の先端を矢印の方向に差し込み支持金具を蓋（２３）とに取り付けする状態の斜視図。
【図３】支持金具を蓋に取り付けて器体の上部に蓋をした状態の横面図。
【図４】（Ａ）（Ｂ）図は器体（２４）の上部縁枠から段付きフック（１７、１９）との位置を差し込んで蓋（２３）を立て掛けた状態（Ｃ）は置く場所が平面上となる（２５）のような場合、支持金具自体を蓋（２３）に付けたまま立て掛けて置く状態の見取り図。
【図５】（Ａ）は支持金具の上部に調理用の小道具となる、お玉（２６）を乗せた状態図と（Ｂ）は菜箸（２７）を乗せた状態図。
【符号の説明】
１、２、３、４、５、６、７、８、９、１０、１１、１２、１３、１４、まではバネ性の線材にてその曲げる順序を現わす符号
１５、    段付き引っ掛けフック部分を溶接止めする箇所
１６、    段付きフック部分と共通させてなる菜箸の先端を引っ掛け止めを用いる突き出し棒
１７、    段付きフック
１８、    段付き引っ掛けフックの溶接止め箇所
１９、    段付きフック
２０      取っ手（ツマミ）
２１、    取っ手（ツマミ）と座板との窪み溝
２２、    座板
２３、    蓋
２４、    器体
２５、    平面板
２６、    お玉
２７、    菜箸
【図１】
2004267729.tif 000003
【図２】
2004267729.tif 000004
【図３】
2004267729.tif 000005
【図４】
2004267729.tif 000006
【図５】
2004267729.tif 000007